(57)【特許請求の範囲】
【請求項１】
所定の電源電圧を昇圧して昇圧電圧を生成する昇圧手段と、
前記昇圧手段により生成された前記昇圧電圧を分圧して分圧電圧を生成する分圧手段と、
前記分圧手段により生成された前記分圧電圧を増幅する増幅手段と、
前記電源電圧を降圧して基準電圧を生成する降圧手段と、
前記分圧手段により生成された前記分圧電圧と前記降圧手段により生成された前記基準電圧とを比較し、前記分圧電圧が前記基準電圧よりも大きい場合に前記昇圧手段により生成された前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する供給手段と、
を備えていることを特徴とする電源装置。
【請求項２】
前記供給手段は、
前記昇圧手段により生成された前記昇圧電圧を前記動作電圧として前記増幅手段に供給制御する第１スイッチング手段と、
前記電源電圧を前記動作電圧として前記増幅手段に供給制御する第２スイッチング手段と、
前記分圧手段により生成された前記分圧電圧と前記降圧手段により生成された前記基準電圧とを比較し、前記分圧電圧が前記基準電圧よりも大きい場合に前記第１スイッチング手段をオンし、前記分圧電圧が前記基準電圧よりも小さい場合に前記第２スイッチング手段をオンする電圧供給路切替手段と、
を備えていることを特徴とする請求項１に記載の電源装置。
【請求項３】
前記降圧手段は、前記電源電圧を分圧する分圧回路により前記基準電圧を生成する、
ことを特徴とする請求項１又は２に記載の電源装置。
【請求項４】
前記分圧手段は、互いに大きさの異なる複数の前記分圧電圧を生成し、
前記分圧電圧毎に前記増幅手段及び前記供給手段が備えられている、
ことを特徴とする請求項１乃至３の何れか１項に記載の電源装置。
【請求項５】
前記増幅手段は、前記分圧電圧の増幅率が１倍に設定されている、
ことを特徴とする請求項１乃至４の何れか１項に記載の電源装置。
【請求項６】
所定の電源電圧を昇圧して昇圧電圧を生成する昇圧手段と、
前記昇圧手段により生成された前記昇圧電圧を分圧して分圧電圧を生成する分圧手段と、
前記分圧手段により生成された前記分圧電圧を増幅して駆動電圧を生成する増幅手段と、
前記増幅手段により生成された前記駆動電圧を表示パネルに供給するドライバと、
前記電源電圧を降圧して基準電圧を生成する降圧手段と、
前記分圧手段により生成された前記分圧電圧と前記降圧手段により生成された前記基準電圧とを比較し、前記分圧電圧が前記基準電圧よりも大きい場合に前記昇圧手段により生成された前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する供給手段と、
を備えていることを特徴とする表示装置。
【請求項７】
所定の電源電圧を昇圧して昇圧電圧を生成し、前記昇圧電圧を分圧して分圧電圧を生成し、前記分圧電圧を増幅手段により増幅して駆動電圧を生成し、前記駆動電圧を表示パネルに供給する表示装置の駆動方法であって、
前記分圧電圧と前記電源電圧よりも小さい基準電圧とを比較し、前記分圧電圧が前記基準電圧よりも大きい場合に前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する、
ことを特徴とする表示装置の駆動方法。
【発明の詳細な説明】
【０００１】
【発明の属する技術分野】
この発明は、電源装置、表示装置及び表示装置の駆動方法に関する。
【０００２】
【従来の技術】
液晶表示装置等に用いられる電源装置は、例えば４つの駆動電圧を生成する場合、図４に示すように構成されている。具体的には、電源装置は、昇圧回路１２１と、複数の出力回路１２２と、分圧抵抗Ｒ１１〜Ｒ１４と、から構成されている。
昇圧回路１２１は、図示せぬ外部電源から供給された電源電圧ＶＤＤを昇圧することによって、駆動電圧の１つ（駆動電圧Ｖ４）となる昇圧電圧Ｖｐｒを生成する。また、昇圧電圧Ｖｐｒは、分圧抵抗Ｒ１１〜Ｒ１４によって分圧される。分圧された昇圧電圧Ｖｐｒは、昇圧電圧Ｖｐｒを電源として動作する出力回路１２２によって、駆動電圧Ｖ１〜Ｖ３として液晶表示装置等の駆動回路に出力される。
【０００３】
出力回路１２２は、例えば、増幅率が１倍のボルテージフォロア回路から構成される。このボルテージフォロア回路には、図５（ａ）に示すＮバッファと、図５（ｂ）に示すＰバッファの２種類がある。
Ｎバッファは、図５（ａ）に示すように、定電流回路１３１が設けられた差動段と、Ｎ型ＭＯＳトランジスタＴＮ及び定電流回路１３２とが設けられた出力段と、を備えている。定電流回路１３１は、差動段に流れる電流の大きさを一定に制御し、定電流回路１３２は、出力段に流れる電流の大きさを一定に制御する。一方、Ｐバッファは、図５（ｂ）に示すように、定電流回路１３３が設けられた差動段と、Ｐ型ＭＯＳトランジスタＴＰ及び定電流回路１３４とが設けられた出力段と、を備えている。定電流回路１３３は、差動段に流れる電流の大きさを一定に制御し、定電流回路１３４は、出力段に流れる電流の大きさを一定に制御する。
【０００４】
【発明が解決しようとする課題】
しかし、以上のように構成された電源装置は、出力回路１２２の動作電圧が昇圧電圧Ｖｐｒであるため、液晶表示装置を駆動するための電荷を昇圧回路１２１が全て供給しなければならず、出力回路１２２が大型化し、消費電力が大きくなるという問題がある。
例えば、電源装置で消費される電流を少なくし、昇圧回路１２１を小型化するために、上記定電流回路１３１〜１３４が供給する定電流を、液晶表示装置等を駆動可能な最低のレベルに設定すると、安定した駆動電圧を生成できなくなる。具体的には、Ｎ型ＭＯＳトランジスタＴＮ又はＰ型ＭＯＳトランジスタＴＰに印加されるゲート電圧にノイズが発生すると、出力される駆動電圧のレベルが変動する。しかし、上記したように、定電流を最低レベルに設定すると、ゲート電圧に生じたノイズを短時間で緩和することができない。このため、出力される駆動電圧のレベルは不安定となる。
【０００５】
一方、上記ゲート電圧に生じたノイズを短時間で緩和するために、上記定電流回路１３１〜１３４が供給する定電流のレベルを大きく設定すると、前述のように、電源装置で消費される電流が多くなると共に昇圧回路１２１の回路規模が大きくなってしまう。
また、出力回路１２２の動作電圧を電源電圧ＶＤＤとすると、電源電圧ＶＤＤより高い、分圧電圧を出力できなくなる。
従って、本発明は、動作信頼性の高い電源装置、表示装置及び表示装置の駆動方法を提供することを目的とする。
また、本発明は、低消費電力で安定した電圧を出力可能な電源装置、表示装置及び表示装置の駆動方法を提供することを他の目的とする。
さらに、本発明は、昇圧回路の容量を小容量にできる電源装置、表示装置及び表示装置の駆動方法を提供することを他の目的とする。
【０００６】
【課題を解決するための手段】
上記目的を達成するため、この発明の電源装置は、所定の電源電圧を昇圧して昇圧電圧を生成する昇圧手段と、前記昇圧手段により生成された前記昇圧電圧を分圧して分圧電圧を生成する分圧手段と、前記分圧手段により生成された前記分圧電圧を増幅する増幅手段と、前記電源電圧を降圧して基準電圧を生成する降圧手段と、前記分圧手段により生成された前記分圧電圧と前記降圧手段により生成された前記基準電圧とを比較し、前記分圧電圧が前記基準電圧よりも大きい場合に前記昇圧手段により生成された前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する供給手段と、を備えていることを特徴とする。
【０００７】
前記供給手段は、前記昇圧手段により生成された前記昇圧電圧を前記動作電圧として前記増幅手段に供給制御する第１スイッチング手段と、前記電源電圧を前記動作電圧として前記増幅手段に供給制御する第２スイッチング手段と、前記分圧手段により生成された前記分圧電圧と前記降圧手段により生成された前記基準電圧とを比較し、前記分圧電圧が前記基準電圧よりも大きい場合に前記第１スイッチング手段をオンし、前記分圧電圧が前記基準電圧よりも小さい場合に前記第２スイッチング手段をオンする電圧供給路切替手段と、を備えてもよい。
【０００８】
前記降圧手段は、前記電源電圧を分圧する分圧回路により前記基準電圧を生成してもよい。
【０００９】
前記分圧手段は、互いに大きさの異なる複数の前記分圧電圧を生成し、前記分圧電圧毎に前記増幅手段及び前記供給手段が備えられていてもよい。
前記増幅手段は、前記分圧電圧の増幅率が１倍に設定されていてもよい。
【００１０】
この発明の表示装置は、所定の電源電圧を昇圧して昇圧電圧を生成する昇圧手段と、前記昇圧手段により生成された前記昇圧電圧を分圧して分圧電圧を生成する分圧手段と、前記分圧手段により生成された前記分圧電圧を増幅して駆動電圧を生成する増幅手段と、前記増幅手段により生成された前記駆動電圧を表示パネルに供給するドライバと、前記電源電圧を降圧して基準電圧を生成する降圧手段と、前記分圧手段により生成された前記分圧電圧と前記降圧手段により生成された前記基準電圧とを比較し、前記分圧電圧が前記基準電圧よりも大きい場合に前記昇圧手段により生成された前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する供給手段と、を備えていることを特徴とする。
この発明の表示装置の駆動方法は、所定の電源電圧を昇圧して昇圧電圧を生成し、前記昇圧電圧を分圧して分圧電圧を生成し、前記分圧電圧を増幅手段により増幅して駆動電圧を生成し、前記駆動電圧を表示パネルに供給する表示装置の駆動方法であって、前記分圧電圧と前記電源電圧よりも小さい基準電圧とを比較し、前記分圧電圧が前記基準電圧よりも大きい場合に前記昇圧電圧を前記増幅手段に当該増幅手段の動作電圧として供給し、前記分圧電圧が前記基準電圧よりも小さい場合に前記電源電圧を前記増幅手段に当該増幅手段の動作電圧として供給する、ことを特徴とする。
【００１１】
【発明の実施の形態】
次に、本発明の実施の形態にかかる電源装置について図面を参照して説明する。なお、以下の説明では、電源装置を液晶表示装置に適用した場合を例として説明する。
上記液晶表示装置は、例えば図１に示すように構成されている。具体的には、液晶表示装置は、表示パネル１と、電源装置２と、行ドライバ３と、列ドライバ４と、制御装置５とから構成される。
【００１２】
液晶パネル１は、対向して配置された一対の基板と、一方の基板上に行方向に形成された複数の走査電極１１と、他方の基板上に列方向に形成された複数の信号電極１３と、一対の基板間に封止された液晶と、から構成されている。そして、液晶パネル１は、走査電極１１と信号電極１３との交点で定義される複数の画素により画像を表示する。
電源装置２は、電池等の外部電源（図示せず）から供給された電源電圧ＶＤＤを用いて、液晶表示装置を駆動するための駆動電圧を生成し、行ドライバ３及び列ドライバ４に供給する。なお、電源装置２の詳しい構成及び動作については後述する。
【００１３】
行ドライバ３は、表示パネル１の走査電極１１に接続され、電源装置２によって供給された駆動電圧から走査電圧を生成する。そして、行ドライバ３は、生成した走査電圧を、所定のタイミングで走査電極１１に順次供給することによって、走査電極１１を走査する。
列ドライバ４は、表示パネル１の信号電極１３に接続され、電源装置２によって供給された駆動電圧から信号電圧を生成する。そして、列ドライバ４は、生成した信号電圧を、所定のタイミングで信号電極１３に供給する。
【００１４】
制御装置５は、記録媒体等を介して提供されたプログラムやデータ等に従って、行ドライバ３及び列ドライバ４の動作を制御する。具体的には、例えば、制御装置５は、行ドライバ３が走査電圧を供給するタイミング、及び、列ドライバ４が信号電圧を供給するタイミングを制御する。これによって、制御装置５は、表示パネル１に所定の画像を表示させる。
【００１５】
次に、上記電源装置２の詳しい構成について、Ｖ１，Ｖ２，Ｖ３及びＶ４の４つの異なる電圧を発生する電源装置を例にして説明する。
電源装置２は、例えば図２に示すように、昇圧回路２１と、ボルテージフォロア回路から構成された３つの出力回路２２と、３つの電源切替回路２３と、分圧抵抗Ｒ１〜Ｒ４と、から構成されている。
昇圧回路２１は、その入力端子が電源装置２の電源入力端子（図示せず）に接続され、この電源入力端子に接続された外部電源から供給される電源電圧ＶＤＤを昇圧して昇圧電圧Ｖｐｒを生成する。また、昇圧回路２１の出力端子は行ドライバ３及び列ドライバ４に接続され、昇圧電圧Ｖｐｒは駆動電圧の１つである駆動電圧Ｖ４として行ドライバ３及び列ドライバ４に出力される。
【００１６】
分圧抵抗Ｒ１〜Ｒ４は、分圧抵抗Ｒ１，Ｒ２，Ｒ３，Ｒ４の順で、グランドと昇圧回路２１の出力端子との間に直列に接続されている。なお、分圧抵抗Ｒ１がグランドに接続され、分圧抵抗Ｒ４が昇圧回路２１の出力端子に接続されている。これによって、昇圧回路２１から出力された昇圧電圧Ｖｐｒは、分圧抵抗Ｒ１〜Ｒ４によって分圧される。また、グランドからは、接地電圧ＶＧＮＤが行ドライバ３及び列ドライバ４に供給される。
【００１７】
出力回路２２は、３つ設けられ、その入力端子は、分圧抵抗Ｒ１とＲ２、Ｒ２とＲ３、及び、Ｒ３とＲ４のそれぞれの間に接続されている。そして、出力回路２２は、分圧された分圧電圧Ｖｄ１〜Ｖｄ３を１倍に増幅し、駆動電圧Ｖ１〜Ｖ３として行ドライバ３及び列ドライバ４に出力する。
電源切替回路２３は、各出力回路２２に１つずつ設けられ、出力回路２２を動作させるための動作電圧の供給路を切り替える。電源切替回路２３は、例えば図３に示すように、抵抗２４，２５と、コンパレータ２６と、反転回路２７と、低電源トランジスタ２８と、高電源トランジスタ２９と、から構成されている。
【００１８】
抵抗２４及び抵抗２５は、外部電源から供給される電源電圧ＶＤＤを分圧するために設けられている。このため、抵抗２４及び抵抗２５は、電源入力端子（図示せず）とグランドとの間に直列に接続されている。なお、抵抗２４が電源入力端子に接続され、抵抗２５がグランドに接続されている。また、抵抗２４の抵抗値は、抵抗２５の抵抗値よりも非常に小さい。このため、抵抗２４と抵抗２５との間の電圧Ｖｄｉｖは、電源電圧ＶＤＤよりも少しだけ（例えば、約０．６Ｖ）低い。
【００１９】
コンパレータ２６は、出力回路２２に入力される分圧電圧Ｖｄと抵抗２４と抵抗２５との間の電圧Ｖｄｉｖとを比較することにより、間接的に、電源電圧ＶＤＤと分圧電圧Ｖｄとを比較する。そして、電圧Ｖｄｉｖが分圧電圧Ｖｄ以上である場合、コンパレータ２６は、ハイレベルの信号Ｈを出力する。一方、電圧Ｖｄｉｖが分圧電圧Ｖｄより低い場合、コンパレータ２６は、ローレベルの信号Ｌを出力する。コンパレータ２６から出力された信号Ｈ及び信号Ｌは、反転回路２７を介して低電源トランジスタ２８のゲートに出力されると共に、高電源トランジスタ２９のゲートに出力される。即ち、コンパレータ２６の一方の入力端子は抵抗２４と抵抗２５との間に接続され、他方の入力端子は出力回路２２の入力端子に接続され、出力端子は反転回路２７の入力端子及び高電源トランジスタ２９のゲートに接続されている。
【００２０】
反転回路２７は、コンパレータ２６の出力信号を反転して、低電源トランジスタ２８のゲートに供給する。具体的には、反転回路２７は、信号Ｈを信号Ｌに反転し、信号Ｌを信号Ｈに反転する。
低電源トランジスタ２８は、バックゲートがソースに接続されたｐＭＯＳトランジスタであり、外部電源からの電源電圧ＶＤＤを出力回路２２の動作電圧として供給するために設けられている。このため、低電源トランジスタ２８のソースは、電源入力端子（図示せず）に接続され、ドレインは出力回路２２の電源端子に接続されている。なお、低電源トランジスタ２８は、コンパレータ２６から信号Ｈが出力された場合にオンし、信号Ｌが出力された場合にオフする。
【００２１】
高電源トランジスタ２９は、バックゲートがソースに接続されたｐＭＯＳトランジスタであり、昇圧回路２１が昇圧した昇圧電圧Ｖｐｒを出力回路２２の動作電圧として供給するために設けられている。このため、高電源トランジスタ２９のソースは、昇圧回路２１の出力端子に接続され、ドレインは出力回路２２の電源端子に接続されている。なお、高電源トランジスタ２９は、コンパレータ２６から信号Ｈが出力された場合にオフし、信号Ｌが出力された場合にオンする。
【００２２】
以上のように構成された電源切替回路２３によって動作電圧を供給される出力回路２２は、原理的には、増幅する分圧電圧Ｖｄと同じ大きさの動作電圧を供給されれば、分圧電圧Ｖｄを１倍に増幅することができる。しかし、実際には、出力回路２２は、分圧電圧Ｖｄの大きさよりも一定以上（例えば、０．６Ｖ以上）高い動作電圧を供給されなければ正しく増幅することができない。
【００２３】
以上の理由から、電源切替回路２３のコンパレータ２６は、電源電圧ＶＤＤを抵抗２４及び抵抗２５によって一定の大きさだけ低くした電圧Ｖｄｉｖと分圧電圧Ｖｄとを比較する。そして、電源切替回路２３は、電圧Ｖｄｉｖが分圧電圧Ｖｄ以上である場合に、即ち、電源電圧ＶＤＤが分圧電圧Ｖｄより大きい場合に、電源電圧ＶＤＤを動作電圧として出力回路２２に供給する。また、電源切替回路２３は、電圧Ｖｄｉｖが分圧電圧Ｖｄより低い場合に、即ち、分圧電圧Ｖｄが電源電圧ＶＤＤ以上である場合に、昇圧電圧Ｖｐｒを動作電圧として出力回路２２に供給する。このように、適切な大きさの動作電圧が出力回路２２に供給されるため、電源装置２で消費される電力は従来よりも小さい。
【００２４】
次に、以上のように構成された電源装置２を備えた液晶表示装置の動作について説明する。なお、以下の説明では、分圧電圧Ｖｄ１は、抵抗２４，２５によって分圧された電圧Ｖｄｉｖよりも小さく、分圧電圧Ｖｄ２，Ｖｄ３は、電圧Ｖｄｉｖよりも大きいとする。
【００２５】
始めに、外部電源が電源装置２の電源入力端子に接続される。これによって、電源電圧ＶＤＤが昇圧回路２１に供給される。
昇圧回路２１は、電源電圧ＶＤＤを昇圧することによって昇圧電圧Ｖｐｒを生成する。そして、昇圧電圧Ｖｐｒは、駆動電圧Ｖ４として行ドライバ３及び列ドライバ４に出力されると共に、分圧抵抗Ｒ１〜Ｒ４によって分圧される。
分圧抵抗Ｒ１と分圧抵抗Ｒ２との間に設けられた電源切替回路２３のコンパレータ２６は、分圧電圧Ｖｄ１と電圧Ｖｄｉｖとを比較する。上記したように、分圧電圧Ｖｄ１は電圧Ｖｄｉｖよりも小さいので、コンパレータ２６は、ハイレベルの信号Ｈを、反転回路２７及び高電源トランジスタ２９に出力する。これによって、高電源トランジスタ２９がオフする。
【００２６】
反転回路２７は、コンパレータ２６から出力された信号Ｈを信号Ｌに反転して低電源トランジスタ２８に出力する。これによって、低電源トランジスタ２８がオンする。
以上のようにして、分圧抵抗Ｒ１と分圧抵抗Ｒ２との間に接続された出力回路２２に、電源電圧ＶＤＤが動作電圧として供給される。
【００２７】
一方、分圧抵抗Ｒ２と分圧抵抗Ｒ３との間、及び、分圧抵抗Ｒ３と分圧抵抗Ｒ４との間に設けられた電源切替回路２３のコンパレータ２６は、それぞれ分圧電圧Ｖｄ２，Ｖｄ３と電圧Ｖｄｉｖとを比較する。上記したように、分圧電圧Ｖｄ２，Ｖｄ３は、電圧Ｖｄｉｖよりも大きいので、コンパレータ２６は、ローレベルの信号Ｌを、反転回路２７及び高電源トランジスタ２９に出力する。これによって、高電源トランジスタ２９がオンする。
反転回路２７は、コンパレータ２６から出力された信号Ｌを信号Ｈに反転して低電源トランジスタ２８に出力する。これによって、低電源トランジスタ２８がオフする。
【００２８】
これにより、分圧抵抗Ｒ２と分圧抵抗Ｒ３との間、及び、分圧抵抗Ｒ３と分圧抵抗Ｒ４との間に接続された出力回路２２に、昇圧電圧Ｖｐｒが動作電圧として供給される。
そして、動作電圧を供給された出力回路２２は、それぞれ分圧電圧Ｖｄ１〜Ｖｄ３を１倍に増幅し、駆動電圧Ｖ１〜Ｖ３として行ドライバ３及び列ドライバ４に出力する。
以上のようにして、接地電圧ＶＧＮＤ及び駆動電圧Ｖ１〜Ｖ４が、電源装置２から行ドライバ３及び列ドライバ４に出力される。
【００２９】
行ドライバ３は、電源装置２によって供給された接地電圧ＶＧＮＤ及び駆動電圧Ｖ１〜Ｖ４から走査電圧を生成し、制御装置５の制御に従って、生成した電圧を走査電圧として所定のタイミングで走査電極１１に順次供給する。
列ドライバ４は、電源装置２によって供給された接地電圧ＶＧＮＤ及び駆動電圧Ｖ１〜Ｖ４から信号電圧を生成し、制御装置５の制御に従って、生成した電圧を信号電圧として所定のタイミングで信号電極１３に供給する。
具体的には、行ドライバ３及び列ドライバ４は、電源装置２から供給された接地電圧ＶＧＮＤ及び駆動電圧Ｖ１〜Ｖ４の中から、表示パネル１の液晶を駆動するために必要な電圧を選択して供給する。例えば、行ドライバ３は、駆動電圧Ｖ４を選択し、走査電圧として走査電極１１に供給する。一方、列ドライバ４は、接地電圧ＶＧＮＤを選択し、信号電圧として信号電極１３に供給する。これにより、電源装置２で生成される最大の電圧が、表示パネル１の液晶に印加される。また、行ドライバ３が接地電圧ＶＧＮＤを選択し、列ドライバ４が駆動電圧Ｖ４を選択することによって、表示パネル１の液晶に上記とは逆極性の電圧を印加することができる。
これによって、表示パネル１に所定の画像が表示される。
【００３０】
上記したように、各電源切替回路２３は、出力回路２２への動作電圧の供給路を切り替えることによって、即ち、出力回路２２の電源を切り替えることによって、出力回路２２に適切な大きさの動作電圧を供給することができる。このように、各出力回路２２に適切な大きさの動作電圧が供給されることによって、電源装置２で消費される電力が小さくなり、結果として、電源装置２を備えた液晶表示装置の消費電力も小さくなる。
【００３１】
また、電源電圧ＶＤＤよりも小さい分圧電圧Ｖｄを増幅する出力回路２２は、外部電源から直接動作電圧を供給されるので、昇圧回路２１は、液晶表示装置を駆動するために必要な全ての電荷を供給する能力を備えている必要がない。即ち、従来よりも電荷供給能力の低い昇圧回路２１を用いることができる。結果として、安価な電源装置２及び液晶表示装置を提供することができる。
【００３２】
なお、上記実施の形態では、分圧抵抗Ｒによって分圧された分圧電圧Ｖｄが３つの場合について説明したが、分圧電圧Ｖｄの数は必要に応じて任意に変更することができる。但し、出力回路２２及び電源切替回路２３は、１つの分圧電圧Ｖｄについて１つずつ設けられなければならない。これによって、上記と同様の効果を得ることができる。
また、上記実施の形態では、電源電圧ＶＤＤと分圧電圧Ｖｄとを比較し、電源電圧ＶＤＤが分圧電圧Ｖｄより高いときに、この電源電圧ＶＤＤを出力回路２２の動作電源に選択する場合について述べたが、これに限らず、分圧電圧Ｖｄと比較する電圧は、昇圧回路により昇圧された昇圧電圧Ｖｐｒより低い電圧であれば良く、比較される分圧電圧Ｖｄより電圧が高い他の分圧電圧Ｖｄであっても良く、この場合にも、出力回路２２の動作電源の電圧を低くすることができるから、消費電力は低減する。
【００３３】
また、上記抵抗２４及び抵抗２５の代わりに降圧回路を設け、この降圧回路によって電源電圧ＶＤＤよりも小さい降圧電圧を生成してもよい。この場合、コンパレータ２６は、分圧電圧Ｖｄと降圧電圧を比較することによって、出力回路２２への動作電圧の供給路を切り替える。
【００３４】
また、上記低電源トランジスタ２８及び高電源トランジスタ２９はｎＭＯＳトランジスタであってもよい。この場合、反転回路２７は、低電源トランジスタ２８のゲートとコンパレータ２６との間ではなく、高電源トランジスタ２９とコンパレータ２６との間に接続される。
【００３５】
さらに、本発明の電源装置は、液晶表示装置だけでなく、ＰＤＰ（プラズマディスプレイ）、ＥＬ（エレクトロルミネッセンス）パネル、ＦＥＤ（フィールドエミッションディスプレイ）等の表示装置に適用することができる。また、本発明の電源装置は、表示装置以外の装置に電圧を供給する電源装置としても適用可能である。
【００３６】
【発明の効果】
以上説明したように、本発明によれば、動作信頼性の高い電源装置、表示装置及び表示装置の駆動方法を提供することができる。
また、本発明によれば、低消費電力で安定した電圧を出力可能な電源装置、表示装置及び表示装置の駆動方法を提供することができる。
また、本発明によれば、昇圧回路の容量を小容量にできる電源装置、表示装置及び表示装置の駆動方法を提供することができる。
【図面の簡単な説明】
【図１】この発明の実施の形態にかかる液晶表示装置の構成を説明するためのブロック図である。
【図２】図１の電源装置の構成を示すブロック図である。
【図３】図２の電源切替回路の構成を示すブロック図である。
【図４】従来の電源装置の構成を示す図である。
【図５】図４に示した電源装置を構成する出力回路の構成図である。
【符号の説明】
１・・・表示パネル、２・・・電源装置、３・・・行ドライバ、４・・・列ドライバ、５・・・制御装置、１１・・・走査電極、１３・・・信号電極、２１・・・昇圧回路、２２・・・出力回路、２３・・・電源切替回路、２４，２５・・・抵抗、２６・・・コンパレータ、２７・・・反転回路、２８・・・低電源トランジスタ、２９・・・高電源トランジスタ
【図１】
0004269457.tif 000002
【図２】
0004269457.tif 000003
【図３】
0004269457.tif 000004
【図４】
0004269457.tif 000005
【図５】
0004269457.tif 000006